(57)【特許請求の範囲】
【請求項１】
一対のＵ型リンクからなり、前記Ｕ型リンクの両腕の一方の端部に連結用腕部を、他方の端部に溝形状部を有する連結用溝形腕部を設け、Ｕ型リンクの連結用腕部をお互いに他方のＵ型リンクの連結用溝形腕部に嵌装し、前記連結用腕部および前記連結用溝形腕部に設けた貫通孔に連結軸を挿通して前記一対のＵ型リンクを連結するチェーン連結用リンクであって、前記連結用溝形腕部の外周部外縁の外径を前記連結用腕部の外周部外縁の外径より大きくし、前記連結用腕部の外周と吊り荷との接触を防止するようにしたことを特徴とするチェーン連結用リンク。
【請求項２】
前記連結用溝形腕部は、前記溝を挟んで外側に位置する外側腕部と内側に位置する内側腕部とを有し、前記外側腕部または前記内側腕部のいずれか一方の外周部外縁の外径を前記連結用腕部の外周部外縁の外径より大きくしたことを特徴とする請求項１記載のチェーン連結用リンク。
【請求項３】
前記連結用腕部、前記外側腕部および前記内側溝部の前記貫通孔の長さ方向の厚さが以下のとおりとなっていることを特徴とする請求項２に記載のチェーン連結用リンク。
前記連結用腕部の厚さ＞前記外側腕部の厚さ＞前記内側腕部の厚さ
【発明の詳細な説明】
【技術分野】
【０００１】
本発明は、チェーンスリング等においてチェーンをフック等の吊り金具に連結したり、またチェーン同志を連結する際に使用されるチェーン連結用リンクに関する。
【背景技術】
【０００２】
従来、楕円環状のリンクを連接して構成されるチェーン等を連結するチェーン連結用リンクとして、一対のＵ型リンクの両腕の一方にチェーンに挿着する連結用腕部を、他方に溝形状部を有する連結用溝形腕部を設け、Ｕ型リンクの連結用腕部をお互いに他方の連結用溝形腕部の溝部に嵌装し、両腕部に設けた貫通孔に連結軸を挿通し、Ｕ型リンクを環状に連結するチェーン連結用リンクは公知である。（特許文献１及び２参照）
【先行技術文献】
【特許文献】
【０００３】
【特許文献１】特公昭６３−３５８６１号公報
【特許文献２】実開昭５７−１６７９３７号公報
【発明の概要】
【発明が解決しようとする課題】
【０００４】
上記した特許文献１に記載された従来のチェーン連結用リンクは、連結軸の中間部に設けられた小径部に、Ｕ形金具１の腕の軸孔の直径よりも僅かに大きい外径を有するばねカラーを嵌設し、かつばねカラーの内面と前記小径部との間に間隙が設けられることで、簡単な操作でばねカラーを装着できるというものであり、また、特許文献２に記載されたチェーン連結リンクは、連結軸の中間部に固定する抜止環（カラー）の断面形状を楕円形状に形成して、その短軸長さを前記連結軸の外径より小さくし、長軸長さを前記連結軸の外径より大きくすることで、Ｕ状杆に高負荷が作用した状態で、これら各Ｕ状杆間にねじり作用が作用した場合であっても、前記抜止環が弾性限界を越えて塑性変形するのを防止し、連結軸の不用意な抜出しを防止するというものであり、いずれもカラーや抜止環の改良に関するもので、上記した構造のチェーン連結用リンクにおいて、使用環境に着目し対応した強度改善に関する技術はいまだ存在しない。
【０００５】
一方、金属材料技術の進歩により、チェーンの強度アップが図かられ、その結果チェーンの小型化が実現し、それに伴ないチェーンを連結するチェーン連結用リンクも小型化されてきている。
【０００６】
上記従来技術において説明した通り、チェーン連結用リンクは、一対のＵ型リンクの両腕の一方にチェーンに挿着する連結用腕部を、他方に溝形状部を有する連結用溝形腕部を設け、Ｕ型リンクの連結用腕部をお互いに他方の連結用溝形腕部に嵌装し、腕部に設けた貫通孔に連結軸を挿通し、Ｕ型リンクを環状に連結する構成のものであり、連結用リンクにチェーンを連結するには、連結する楕円環状のチェーンリンクに連結用リンクの連結用腕部を挿通した後に連結リンク同士を連結軸で連結する。そのため、チェーンを構成するチェーンリンクが小型化されると、連結リンクの連結用腕部も小型化しないとチェーンリンクに挿通できないので、その結果として、チェーン連結用リンクの連結用腕部も小型化し、チェーン連結用リンク全体が小型化されてきた。
【０００７】
しかし従来のチェーン連結用リンクにおいては、前記した通り、使用環境に着目した連結リンクの小型化に伴う強度確保、特に疲労強度についての改善は未だ行われていない。
【０００８】
荷役用として使用されるチェーンスリングは、多様な工事現場、作業現場等過酷な使用環境で使用されるものであり、使用中にチェーン連結用リンクが荷物、スリング用金具、構造物や障害物等に接触又は衝突して磨耗したり、変形及び損傷することで強度が低下すると、チェーンスリング装置全体の使用強度が低下し、そのため連結用リンクの強度確保はチェーンの小型化に伴う喫緊な課題となってきている。
【０００９】
本発明は、上記課題を解決するため、チェーン連結用リンクの連結用腕部の外周に磨耗や傷等による変形の発生を防止し、連結用リンクの連結用腕部の強度向上、特に疲労強度向上を実現できる連結リンクを提供することを目的とする。
【課題を解決するための手段】
【００１０】
上記の課題を解決するため、本発明は、一対のＵ型リンクからなり、前記Ｕ型リンクの両腕の一方の端部に連結用腕部を、他方の端部に溝形状部を有する連結用溝形腕部を設け、Ｕ型リンクの連結用腕部をお互いに他方のＵ型リンクの連結用溝形腕部に嵌装し、前記連結用腕部および前記連結用溝形腕部に設けた貫通孔に連結軸を挿通して前記一対のＵ型リンクを連結するチェーン連結用リンクであって、前記連結用溝形腕部の外周部外縁の外径を前記連結用腕部の外周部外縁の外径より大きくし、前記連結用腕部の外周と吊り荷との接触を防止するようにしたことを特徴とする。
【００１１】
また、前記連結用溝形腕部は、前記溝を挟んで外側に位置する外側腕部と内側に位置する内側腕部とを有し、前記外側腕部または前記内側腕部のいずれか一方の外周部外縁の外径を前記連結用腕部の外周部外縁の外径より大きくしたことを特徴とする。
また、前記連結用腕部、前記外側腕部および前記内側溝部の前記貫通孔の長さ方向の厚さが以下のとおりとなっていることを特徴とする。
前記連結用腕部の厚さ＞前記外側腕部の厚さ＞前記内側腕部の厚さ
【発明の効果】
【００１２】
本発明は、一対のＵ型リンクからなり、前記Ｕ型リンクの両腕の一方の端部に連結用腕部を、他方の端部に溝形状部を有する連結用溝形腕部を設け、Ｕ型リンクの連結用腕部をお互いに他方のＵ型リンクの連結用溝形腕部に嵌装し、前記腕部に設けた貫通孔に連結軸を挿通して前記一対のＵ型リンクを連結するチェーン連結用リンクであって、前記連結用溝形腕部の外周で前記連結用腕部の外周と吊り荷等との接触を防止するように、前記連結用溝形腕部の外周を前記連結用腕部の外周より大きくした構成としたことで、連結用溝形腕部の外周が連結用腕部の外周より貫通孔径方向外方に突出しているので、作業中にチェーン連結用リンクが吊り荷や他の金具等に接触したり、衝突したりする場合であっても、連結用腕部より外側に突出している連結用溝形腕部の外周が吊り荷等と接触し、連結用腕部と吊り荷等との接触、衝突が回避できるので、連結用腕部の磨耗、変形（傷、打痕）等の発生を防止することができ、また、Ｕ型リンクの外側の連結用溝形腕部の外周を大きくすることでＵ型リンクの強度を増加することができるので、チェーン連結用リンク小型化に伴う強度の改善を図ることができる。
【００１３】
また、連結用溝形腕部の磨耗限界の目安を連結用腕部の外周とすることで、工事現場等における保守管理が容易となる。
【図面の簡単な説明】
【００１４】
【図１】本発明のチェーン連結用リンクの正面図。
【図２】図１の右側面図。
【図３】図１のＡ−Ａ矢視断面図。
【図４】図１のＢ−Ｂ矢視断面図。
【図５】図１の他の形態の矢視断面図。
【図６】図１の他の形態の矢視断面図。
【図７】（ａ）は図２、（ｂ）は図４の部分拡大図。
【発明を実施するための形態】
【００１５】
図において、１はチェーン連結用リンクで、一対のＵ型リンク１ａ、１ｂから構成されている。Ｕ型リンクの１ａ、１ｂの両腕の一方の端部は、チェーンに挿着する連結用腕部２ａ、２ｂであり、他方の端部は、連結用腕部２ａ、２ｂが嵌装される溝部３ａ、３ｂを有するＵ字状の連結用溝形腕部４ａ、４ｂで、それぞれの外側腕部４ａ１、内側腕部４ａ２及び外側腕部４ｂ１、内側腕部４ｂ２から構成される。５は連結軸、６はカラー、７ａ、７ｂは連結用腕部２ａと連結用溝形腕部４ａ１、４ａ２及び連結用腕部２ｂと連結用溝形腕部４ｂ１、４ｂ２に貫通して設けられた貫通孔である。本実施の形態では、図７（ａ）（ｂ）に示す通り、連結用溝形腕部４ａ、４ｂの外周の貫通孔径方向の外径ａが、連結用腕部２ａ、２ｂの外周の貫通孔径方向の外径ｂより大きく設定されている。
【００１６】
一対のＵ型リンク１ａ、１ｂを連結する場合は、一方のＵ型リンク１ａ、１ｂの連結用腕部２ａ、２ｂを他方のＵ型リンクの連結用溝形腕部４ａ、４ｂの溝部３ａ、３ｂに嵌合させ、連結用溝形腕部４ａ、４ｂの内側に図示しない連結軸５の抜け止め手段が設けられたカラー６を装着し、貫通孔７ａ、７ｂを一致させ、連結軸５を嵌挿することで、一対のＵ型リンク１ａ、１ｂは連結され、チェーン連結用リンク１が組立てられる。
【００１７】
本発明は、一対のＵ型リンク１ａ、１ｂからなり、Ｕ型リンクの両腕の一方の端部に連結用腕部２ａ、２ｂを、他方の端部に溝形状部３ａ、３ｂを有する連結用溝形腕部４ａ、４ｂを設け、Ｕ型リンク１ａ、１ｂの連結用腕部２ａ、２ｂをお互いに他方のＵ型リンク１ｂ、１ａの連結用溝形腕部４ｂ、４ａに嵌装し、前記腕部２ａ、２ｂ、４ａ、４ｂに設けた貫通孔７ａ、７ｂに連結軸５を貫通して前記一対のＵ型リンク１ａ、１ｂを連結するチェーン連結用リンクにおいて、前記連結用溝形腕部４ａ、４ｂの外周部外縁の外径ａを前記連結用腕部２ａ、２ｂの外周部外縁の外径ｂより大きく設定し、前記連結用腕部２ａ、２ｂと吊り荷、他の金具、構造物や障害物等との接触または衝突を防止するようにした構成としたことで、作業中にチェーン連結用リンク１が吊り荷等に接触したり、衝突したりする場合であっても、連結用溝形腕部４ａ、４ｂの外周部が連結用腕部２ａ、２ｂの外周部の外縁より突出しているので、連結用溝形腕部４ａ、４ｂの外周が吊り荷等と接触し、連結用腕部２ａ、２ｂは吊り荷等との接触、衝突が回避でき、連結用腕部２ａ、２ｂの磨耗、変形（傷、打痕）等の発生を防止することができる。また、Ｕ型リンク１ａ、１ｂの連結用溝形腕部４ａ、４ｂの外周部外縁の外径を大きくすることでＵ型リンク１ａ、１ｂの強度を増加することができ、さらに、連結用溝形腕部４ａ、４ｂの磨耗限界の目安を連結用腕部２ａ、２ｂの外径とすることで、作業現場等における保守管理が容易となる。カラー６の外径は、図の通り連結用腕部２ａ、２ｂより大きく、連結用溝形腕部４ａ、４ｂより小さい。連結用溝形腕部４ａ、４ｂの外側腕部４ａ１、４ｂ１と内側腕部４ａ２、４ｂ２の外周部外縁の外径は等しく、内側腕部４ａ２、４ｂ２の貫通孔７ａ、７ｂの貫通方向の厚さより、外側腕部４ａ１、４ｂ１の同厚さの方が厚く、連結腕部２ａ、２ｂの厚さの方が、さらに厚くなっている。
【００１８】
図５及び図６は他の実施例で、図５は連結用溝形腕部４ａ、４ｂの外側腕部４ａ１、４ｂ１を連結用腕部２ａ、２ｂより図の通り大きくした形態である。
【００１９】
図６は連結用溝形腕部４ａ、４ｂの内側腕部４ａ２、４ｂ２を連結用腕部２ａ、２ｂより図の通り大きくした形態である。
【符号の説明】
【００２０】
１  チェーン連結用リンク
１ａ、１ｂ  Ｕ型リンク
２ａ、２ｂ  連結用腕部
３ａ、３ｂ  溝
４ａ、４ｂ  連結用溝形腕部
【図１】
0005732379.tif 000002
【図２】
0005732379.tif 000003
【図３】
0005732379.tif 000004
【図４】
0005732379.tif 000005
【図５】
0005732379.tif 000006
【図６】
0005732379.tif 000007
【図７】
0005732379.tif 000008